(57)【要約】【課題】高級オーディオの機器のディスクローダ装置において、モーター等の振動に共振しないディスクローダ装置を提供する。【解決手段】ディスクトレイ４の裏面に並べて２条のガイド溝を配設し、同ガイド溝は、横方向に配設した後、連続して斜め後方に向けて延設して構成し、前記ガイド溝に挿入されたスライド部材の上面に突設された２本のスライド用ガイドピンが、前記横方向のガイド溝内で摺動するときには、前記ピニオンギアとメインラックギヤとは歯合せず、ピニオンギアとサブラックギアの歯合による前記トラバースシャーシが下方への移動のみが行われ、前記スライド用ガイドピンがガイド溝の斜め後方に向けて延設された部分を摺動する場合に前記ディスクトレイを前方に押し出す作用が生じ、ディスクトレイの裏面に配設されたメインラックギヤをピニオンギアに歯合させるようにしてなるディスクトレイローダー装置による。【選択図】  図１
2008103035.tif 000002
【特許請求の範囲】
【請求項１】
ＣＤ等の記録媒体１４を載置するディスクトレイ４と、
該ディスクトレイ４の裏面に配設されたメインラックギヤ５ｃと歯合し前記ディスクトレイ４を前後に移動するピニオンギヤ３と、
前記ディスクトレイ４を装置から排出する際に前記記録媒体１４を駆動する記録媒体用ターンテーブルを搭載したトラバースシャーシ１３を前記ディスクトレイ４の排出に支障のない位置まで下方に移動させるために前記ピニオンギア３に歯合して左右に移動するサブラックギヤ６ｅを上面に、前記トラバースシャーシ１３に突設されたトラバース用ガイドピン１１ａ、１１ｂを挿入して前記トラバースシャーシ１３を上下方向に移動させる上端及び下端付近は水平で中間部は傾斜した一連のスリット２条６ｃ、６ｄを側壁に穿設したスライド部材６と
からなるディスクトレイローダ装置において、
前記ディスクトレイ４の裏面に並べて２条のガイド溝５ａ、５ｂを配設し、同ガイド溝５ａ、５ｂは、横方向に配設した後、連続して斜め後方に向けて延設して構成し、前記ガイド溝５ａ、５ｂに挿入されたスライド部材６の上面に突設された２本のスライド用ガイドピン６ａ、６ｂが、前記横方向のガイド溝内で摺動するときには、前記ピニオンギア３とメインラックギヤ５ｃとは歯合せず、ピニオンギア３とサブラックギアの歯合による前記トラバースシャーシ１３が下方への移動のみが行われ、前記スライド用ガイドピン６ａ、６ｂがガイド溝５ａ、５ｂの斜め後方に向けて延設された部分を摺動する場合に前記ディスクトレイ４を前方に押し出す作用が生じ、ディスクトレイ４の裏面に配設されたメインラックギヤ５ｃをピニオンギア３に歯合させるようにしてなることを特徴とする請求項１に記載のディスクトレイローダー装置。
【請求項２】
前記ディスクトレイ４が、上面に記録媒体１４を載置するための凹窩が穿設された金属板４ａと、前記金属板４ａの裏面に固定され、かつその裏面にメインラックギヤ５ｃと２条のガイド溝５ａ、５ｂとを備えた樹脂板５とで構成されたものであることを特徴とする請求項１又は２に記載のディスクトレイローダ装置。
【請求項３】
前記ディスクトレイ４が、左右いずれか片側に、該ディスクトレイ４を前後に移動するガイドとしての１本のシャフト３を摺動可能に挿入するためのスリーブ１を配設してなり、他の片側は装置本体に固着されたガイドローラ７によって支持されてなることを特徴とする請求項１又は２に記載のディスクトレイローダ装置。
【発明の詳細な説明】
【技術分野】
【０００１】
本発明は記録媒体の装置に係わり、特に、トレイ式のディスクトレイローディング機構を備えたディスクトレイローダ装置に関する。
【背景技術】
【０００２】
高級オーディオ装置では、音楽を鑑賞するのみでなく、精巧な機構を操作し、精密なオーディオ機器に接している優越感も重視されると同時に、機器の重厚なデザインや外観のみならず、高級オーディオに装置に要求される品質の提供も必要である。
【０００３】
特に、オーディオプレーヤのディスクを出し入れするディスクトレイが外来や内部の振動によって共振することなく高忠実度の再生音が再現されることが重要である。
【０００４】
従来のディスクトレイローディング機構には樹脂製のトレイが使用されていることが多いが、外来振動や、自己の装置からの振動によって共振する場合もあり、機器の軽量化には役立つが高品質の再生音が求められる高級オーディオ装置には使用しがたい。
【０００５】
そこでアルミ等金属製のトレイをワイヤで引っ張り往復させる機構のものもあるが、ワイヤを巻くプーリの装置に占める面積が広く、シャーシ内部のレイアウトに制限が多くなる。
【０００６】
また、樹脂製からアルミ等金属製のトレイに変更し、従来機構で作動させると、重量化したトレイを駆動することとなり、スムーズなローディングができず、機構的に無理な力が加わることとなり製品寿命を短縮するのみでなく、故障する場合も生ずる。
【特許文献１】特開平１０−２７５３９０号公報
【発明の開示】
【発明が解決しようとする課題】
【０００７】
高級オーディオの機器の重厚なデザインや、外観を維持し、さらに、外部のみならず内部のモーター等の振動に共振することのない金属製ディスクトレイやシャーシを採用したディスクトレイローディング機構を備えたディスクトレイローダ装置を提供する。
【課題を解決するための手段】
【０００８】
本願発明者は、上記に鑑み鋭意研究の結果、次の手段によりこの課題を解決した。
（１）ＣＤ等の記録媒体１４を載置するディスクトレイ４と、
該ディスクトレイ４の裏面に配設されたメインラックギヤ５ｃと歯合し前記ディスクトレイ４を前後に移動するピニオンギヤ３と、
前記ディスクトレイ４を装置から排出する際に前記記録媒体１４を駆動する記録媒体用ターンテーブルを搭載したトラバースシャーシ１３を前記ディスクトレイ４の排出に支障のない位置まで下方に移動させるために前記ピニオンギア３に歯合して左右に移動するサブラックギヤ６ｅを上面に、前記トラバースシャーシ１３に突設されたトラバース用ガイドピン１１ａ、１１ｂを挿入して前記トラバースシャーシ１３を上下方向に移動させる上端及び下端付近は水平で中間部は傾斜した一連のスリット２条６ｃ、６ｄを側壁に穿設したスライド部材６と
からなるディスクトレイローダ装置において、
前記ディスクトレイ４の裏面に並べて２条のガイド溝５ａ、５ｂを配設し、同ガイド溝５ａ、５ｂは、横方向に配設した後、連続して斜め後方に向けて延設して構成し、前記ガイド溝５ａ、５ｂに挿入されたスライド部材６の上面に突設された２本のスライド用ガイドピン６ａ、６ｂが、前記横方向のガイド溝内で摺動するときには、前記ピニオンギア３とメインラックギヤ５ｃとは歯合せず、ピニオンギア３とサブラックギアの歯合による前記トラバースシャーシ１３が下方への移動のみが行われ、前記スライド用ガイドピン６ａ、６ｂがガイド溝５ａ、５ｂの斜め後方に向けて延設された部分を摺動する場合に前記ディスクトレイ４を前方に押し出す作用が生じ、ディスクトレイ４の裏面に配設されたメインラックギヤ５ｃをピニオンギア３に歯合させるようにしてなることを特徴とする請求項１に記載のディスクトレイローダー装置。
【０００９】
（２）前記ディスクトレイ４が、上面に記録媒体１４を載置するための凹窩が穿設された金属板４ａと、前記金属板４ａの裏面に固定され、かつその裏面にメインラックギヤ５ｃと２条のガイド溝５ａ、５ｂとを備えた樹脂板５とで構成されたものであることを特徴とする請求項１又は２に記載のディスクトレイローダ装置。
【００１０】
（３）前記ディスクトレイ４が、左右いずれか片側に、該ディスクトレイ４を前後に移動するガイドとしての１本のシャフト３を摺動可能に挿入するためのスリーブ１を配設してなり、他の片側は装置本体に固着されたガイドローラ７によって支持されてなることを特徴とする請求項１又は２に記載のディスクトレイローダ装置。
【発明の効果】
【００１１】
本願発明によれば、次のような効果が発揮される。
１．本願発明の請求項１の発明によれば、
スライド用ガイドピン６ａ、６ｂと２条のガイド溝５ａ、５ｂに作用する力が分散されたことになり機構的に無理な力が加わらない。
【００１２】
一つのモータで駆動されたピニオンギヤ３によってトラバースシャーシ１３を上下させ、かつディスクトレイ４を収納・排出することが可能になる。
【００１３】
ピニオンギヤ３を駆動するのみでトラバースシャーシ１３がディスクトレイ４の排出に支障のない位置まで下方に移動し、かつディスクトレイ４を出し入れすることができる。
【００１４】
２．本願発明の請求項２の発明によれば、
前記請求項１の効果に加えて、前記ディスクトレイ４が、上面に記録媒体１４を載置するための凹窩が穿設された金属板４ａと、前記金属板４ａの裏面に固定され、かつその裏面にメインラックギヤ５ｃと２条のガイド溝５ａ、５ｂとを備えた樹脂板５とで構成されているので、金属板４ａは精密な機械加工ができ、機構的にスムーズで静かな動きが可能となり、かつ樹脂製の弱点である衝突時のしなりを防止することができる。
【００１５】
また、樹脂製のメインラックギヤ５ｃをピニオンギヤ３で駆動するため機構的にスムーズで静かな動きが可能となる。さらに樹脂製のピニオンギヤ３を使用すればより静音化できる。
【００１６】
さらに、樹脂板５を金型を使用して成型すれば、均一な製品が得られると同時に軽量化とコストダウンができる。
【００１７】
３．本願発明の請求項３の発明によれば、
前記請求項１及び２の効果に加えて、前記ディスクトレイ４が、左右いずれか片側に、該ディスクトレイ４を前後に移動するガイドとしての１本のシャフト３を摺動可能に挿入するためのスリーブ１を配設してなり、他の片側は装置本体に固着されたガイドローラ７によって支持されているので、
ディスクトレイ４を片側だけで支持し収納・排出が可能となり、移動用軸又は移動用ガイドを両側に設けた従来機構と比較し、格段に簡単な機構で、精密な駆動が可能となり、さらにコストダウンが期待できる。
【発明を実施するための最良の形態】
【００１８】
本願発明を実施するための最良の形態を実施例図に基づいて詳細に説明する。
図１は本願発明実施例でディスクトレイの収納時のディスクトレイローダ装置上面図であり、図２は同発明実施例でディスクトレイの収納位置からスライド用ガイドピンが水平に移動時のディスクトレイローダ装置上面図であり、図３は同発明実施例でディスクトレイの収納位置からスライド用ガイドピンがガイド溝の傾斜部位置に移動時のディスクトレイローダ装置上面図であり、図４は同発明実施例でディスクトレイの排出時のディスクトレイローダ装置上面図であり、図５は同発明実施例でディスクトレイの収納位置から排出位置までのディスクトレイローダ装置の断面図である。
【００１９】
図において、上面にＣＤ等の記録媒体１４を載置するための凹窩が穿設された金属板４ａと、該金属板４ａの背面に固着されメインラックギヤ５ｃと２条のガイド溝５ａ、５ｂとを備えた樹脂板５とで構成されたディスクトレイ４を、図１の左側に該ディスクトレイ４を前後に移動するガイドとしての１本のシャフト３を摺動可能に挿入するためのスリーブ１を配設し、他の片側は装置本体８に固着されたガイドローラ７によって支持され、かつ該ディスクトレイ４の背面に配設されたメインラックギヤ５ｃとピニオンギヤ３とで前後に移動して装置内に出し入れするディスクローダ装置１００において、前記ディスクトレイ４を装置から排出する際、前記記録媒体１４（以後ディスク１４と記述）を駆動する記録媒体用ターンテーブルを搭載したトラバースシャーシ１３を前記ディスクトレイ４の排出に支障のない位置まで下方に移動させるために前記ピニオンギア３に係合して左右に移動するサブラックギヤ６ｅを備えたスライド部材６が、その上面に突出し、前記ディスクトレイ４の背面に配設された２条のガイド溝５ａ、５ｂに沿って摺動する２個のスライド用ガイドピン６ａ、６ｂと、前記トラバースシャーシ１３に突設されたトラバース用ガイドピン１１ａ、１１ｂを挿入して前記トラバースシャーシ１３を上下方向に移動させる２条のＳ字型ガイド溝６ｃ、６ｄを備えて構成している。
【００２０】
図１及び図５（１）において、ディスクトレイ４にディスク１４が載置され、図示しないプッシュ・プッシュ式ディスクボタンを押すと、ローディングモータ９が起動され、モータ９の回転はベルト１０によって減速用ギヤ１２ａ、１２ｂを介してピニオンギヤ３を始動し、ディスクトレイ４の排出が開始される。
【００２１】
図２及び図５（２）において、ピニオンギヤ３にはスライド部材６に配設されたサブラックギヤ６ｅが歯合しているため、ピニオンギヤ３の時計方向の回転によってサブラックギヤ６ｅが右方向へ動き、スライド用ガイドピン６ａ、６ｂがガイド溝５ａ、５ｂの水平位置の右側まで移動することにより、スライド部材６下部の２条のＳ字型ガイド溝６ｃ、６ｄに沿って前記トラバースシャーシ１３に突設されたトラバース用ガイドピン１１ａ、１１ｂがガイド溝６ｃ、６ｄの傾斜部分を上方から下方に向けて移動する。
【００２２】
したがって、前記トラバースシャーシ１３は下方へ移動し、ディスクトレイ４上部面のディスク１１を載置するための凹窩に載置される。
【００２３】
図３及び図５（３）において、ピニオンギヤ３のさらなる時計方向の回転によってサブラックギヤ６ｅがさらに右方向へ動き、スライド用ガイドピン６ａ、６ｂがガイド溝５ａ、５ｂの傾斜部の右上側まで移動することにより、ディスクトレイ４は排出方向に動き、前記メインラックギヤ５ｃとピニオンギヤ３とが歯合するまで進む。
【００２４】
図４において、前記メインラックギヤ５ｃとピニオンギヤ３とが歯合した後、さらにピニオンギヤ３が時計方向に回転すれば、ディスク１４は装置外部まで搬送され、ディスクトレイ４から取り外すことができる。
【００２５】
再度ディスクトレイ４にディスク１４を載置し、前記図示しないプッシュ・プッシュ式ディスクボタンを押すと、上記説明の逆順でディスクトレイ４は収納位置にローディングされる。
【図面の簡単な説明】
【００２６】
【図１】本願発明実施例でディスクトレイの収納時のディスクトレイローダ装置上面図。
【図２】同発明実施例でディスクトレイの収納位置からスライド用ガイドピンが水平に移動時のディスクトレイローダ装置上面図。
【図３】同発明実施例でディスクトレイの収納位置からスライド用ガイドピンがガイド溝の傾斜部位置に移動時のディスクトレイローダ装置上面図。
【図４】同発明実施例でディスクトレイの排出時のディスクトレイローダ装置上面図。
【図５】同発明実施例でディスクトレイの収納位置から排出位置までのディスクトレイローダ装置の断面図。
【符号の説明】
【００２７】
１：スリーブ
２：シャフト
３：ピニオンギヤ
４：ディスクトレイ
４ａ：金属板
５：樹脂板
５ａ、５ｂ：ガイド溝
５ｃ：メインラックギヤ
６：スライド部材
６ａ、６ｂ：スライド用ガイドピン
６ｃ、６ｄ：サブラックギヤ
７：ガイドローラ
８：装置本体
９：ローディングモータ
１０：ベルト
１１ａ、１１ｂ：トラバース用ガイドピン
１２ａ、１２ｂ：減速用ギヤ
１３：トラバースシャーシ
１４：ディスク（記録媒体）
【図１】
2008103035.tif 000003
【図２】
2008103035.tif 000004
【図３】
2008103035.tif 000005
【図４】
2008103035.tif 000006
【図５】
2008103035.tif 000007